(57)【要約】      （修正有）【課題】外部から居宅にいる人に比較的リアルタイム性の高い情報を通知できるようにすることを目的とする。【解決手段】住宅管理システム１において、居宅端末３０Ｘ、３０Ｙは、居宅に設置された端末である。居宅端末は、ペアリングされた外部端末７０から入力された入力データを、管理サーバ１０から取得する。居宅端末は、管理サーバ１０から入力データが取得されると、入力データがあることを示す通知情報を居宅に設置された基々の表示装置６０Ｘ、６０Ｙに表示させて、入力データがあることを居宅にいる利用者に対して通知する。【選択図】図１
2018169707.tif 000002
【特許請求の範囲】
【請求項１】
居宅に設置された居宅端末であり、
ペアリングされた外部端末から入力された入力データを、管理サーバから取得するデータ取得部と、
前記データ取得部によって取得された入力データがあることを示す通知情報を、前記居宅に設置された表示装置に表示させて、前記入力データがあることを前記居宅にいる利用者に対して通知する通知部と
を備える居宅端末。
【請求項２】
前記通知部は、前記表示装置に他の情報が表示されているときに、前記通知情報を前記他の情報とともに表示させる
請求項１に記載の居宅端末。
【請求項３】
前記通知部は、前記他の情報に重畳させて、前記通知情報を表示させる
請求項２に記載の居宅端末。
【請求項４】
前記データ取得部は、前記管理サーバに対して問合せを行い、前記外部端末から入力された前記入力データがある場合に、前記入力データを取得する
請求項１から３までのいずれか１項に記載の居宅端末。
【請求項５】
前記データ取得部は、基準タイミングから乱数に応じた時間だけずれたタイミングで、前記管理サーバに対して問合せを行う
請求項４に記載の居宅端末。
【請求項６】
前記居宅端末は、さらに、
前記利用者からの操作を受け付ける操作受付部
を備え、
前記データ取得部は、前記操作受付部が操作を受け付けてから経過した経過時間が長くなるほど、前記管理サーバに対して問合せを行う間隔を長くする
請求項４又は５に記載の居宅端末。
【請求項７】
管理サーバと、居宅に設置された居宅端末とを備える住宅管理システムであり、
前記管理サーバは、
外部端末から入力された入力データを記憶するデータ記憶部
を備え、
前記居宅端末は、
ペアリングされた外部端末から入力された入力データを、前記データ記憶部から取得するデータ取得部と、
前記データ取得部によって取得された入力データがあることを示す通知情報を、前記居宅に設置された表示装置に表示させて、前記入力データがあることを前記居宅にいる利用者に対して通知する通知部と
を備える住宅管理システム。
【発明の詳細な説明】
【技術分野】
【０００１】
この発明は、外部から入力された入力データを居宅に設置された表示装置に表示する技術に関する。
【背景技術】
【０００２】
携帯電話等の端末を用いた電子メールといった手段により、外部から居宅にいる人に連絡がされることがある。しかし、居宅にいる人がテレビを見ているような場合には、携帯電話に送られた電子メールに気が付かない場合がある。
【０００３】
特許文献１には、集合住宅等の各居宅にＳＴＢ（Ｓｅｔ  Ｔｏｐ  Ｂｏｘ）を設置し、ＳＴＢ経由で集合住宅の情報を各居宅に設置されたテレビに表示することが記載されている。
【先行技術文献】
【特許文献】
【０００４】
【特許文献１】特開２００２−１５７１８８号公報
【発明の概要】
【発明が解決しようとする課題】
【０００５】
特許文献１に記載されたように、各居宅に設置されたテレビに情報を表示させるとしても、人がテレビの電源を入れ、意識的に情報にアクセスする操作を行わなければ、情報は表示されない。そのため、人が意識的に情報にアクセスしなければ、その情報が見られることはない。
この発明は、外部から居宅にいる人に比較的リアルタイム性の高い情報を通知できるようにすることを目的とする。
【課題を解決するための手段】
【０００６】
この発明に係る居宅端末は、
居宅に設置された居宅端末であり、
ペアリングされた外部端末から入力された入力データを、管理サーバから取得するデータ取得部と、
前記データ取得部によって取得された入力データがあることを示す通知情報を、前記居宅に設置された表示装置に表示させて、前記入力データがあることを前記居宅にいる利用者に対して通知する通知部と
を備える。
【発明の効果】
【０００７】
この発明では、外部端末から入力された入力データが管理サーバから取得された場合に、入力データが送信されたことを示す通知情報を居宅に設置された表示装置に表示させる。そのため、人が意識的に情報にアクセスしなくても、通知情報が表示装置に表示される。その結果、外部から居宅にいる人に比較的リアルタイム性の高い情報を通知できる。
また、この発明では、ペアリングされた外部端末から入力された入力データを管理サーバから取得する。そのため、無関係の人によって入力された入力データといった不要な入力データが送信されたことが通知されることもない。
【図面の簡単な説明】
【０００８】
【図１】実施の形態１に係る住宅管理システム１の構成図。
【図２】実施の形態１に係る管理サーバ１０の構成図。
【図３】実施の形態１に係るデータ記憶部１３１に記憶される情報を示す図。
【図４】実施の形態１に係る居宅端末３０の構成図。
【図５】実施の形態１に係る識別子記憶部３３１に記憶される情報を示す図。
【図６】実施の形態１に係るデータ保管部３３２に記憶される情報を示す図。
【図７】実施の形態１に係るデータ登録処理のフローチャート。
【図８】実施の形態１に係るデータ通知処理のフローチャート。
【図９】実施の形態１に係る通知情報の表示例を示す図。
【図１０】変形例５に係る管理サーバ１０の構成図。
【図１１】変形例５に係る居宅端末３０の構成図。
【図１２】実施の形態２に係る居宅端末３０の構成図。
【図１３】実施の形態２に係るタイミングデータ記憶部３３３に記憶される情報を示す図。
【図１４】実施の形態２に係るタイミング調整処理のフローチャート。
【図１５】実施の形態３に係る居宅端末３０の構成図。
【図１６】実施の形態３に係る間隔調整処理のフローチャート。
【発明を実施するための形態】
【０００９】
実施の形態１．
図１を参照して、実施の形態１に係る住宅管理システム１の構成を説明する。
住宅管理システム１は、管理サーバ１０と、集合住宅といったコミュニティ内の居宅に設置された居宅端末３０及び表示装置６０と、ＰＣ（Ｐｅｒｓｏｎａｌ  Ｃｏｍｐｕｔｅｒ）又はスマートフォンといった外部端末７０とを備える。図１では、居宅端末３０及び表示装置６０として、居宅Ｘに設置された居宅端末３０Ｘ及び表示装置６０Ｘと、居宅Ｙに設置された居宅端末３０Ｙ及び表示装置６０Ｙとが示されている。表示装置６０は、具体例としては、テレビである。
管理サーバ１０は、インターネットに接続されている。居宅に設置された居宅端末３０は、居宅に設置された無線ルータ５０を介してインターネットに接続されている。図１では、居宅端末３０Ｘが無線ルータ５０Ｘを介してインターネットに接続され、居宅端末３０Ｙが無線ルータ５０Ｙを介してインターネットに接続されている。外部端末７０は、インターネットに接続されている。したがって、管理サーバ１０と居宅端末３０と外部端末７０とは、インターネットを介して通信可能になっている。
【００１０】
図２を参照して、実施の形態１に係る管理サーバ１０の構成を説明する。
管理サーバ１０は、コミュニティ向けのサービスを提供するコンピュータである。管理サーバ１０は、コミュニティの管理会社、又は、管理会社が利用するデータセンターといった場所に設置される。
管理サーバ１０は、プロセッサ１１と、メモリ１２と、ストレージ１３と、通信インタフェース１４とのハードウェアを備える。プロセッサ１１は、信号線を介して他のハードウェアと接続され、これら他のハードウェアを制御する。
【００１１】
管理サーバ１０は、機能構成要素として、データ受付部２１と、データ送信部２２とを備える。管理サーバ１０の各機能構成要素の機能はソフトウェアにより実現される。
ストレージ１３には、管理サーバ１０の各機能構成要素の機能を実現するプログラムが記憶されている。このプログラムは、プロセッサ１１によりメモリ１２に読み込まれ、プロセッサ１１によって実行される。これにより、管理サーバ１０の各機能構成要素の機能が実現される。
【００１２】
また、ストレージ１３は、データ記憶部１３１の機能を実現する。
図３に示すように、データ記憶部１３１には、居宅端末３０の識別子である端末ＩＤ８１毎に、居宅端末３０とペアリングされた外部端末７０から入力された入力データ８２と、入力元の外部端末７０の識別子である外部ＩＤ８３とが記憶される。入力データ８２は、例えば、テキストデータであるメッセージである。
居宅端末３０とペアリングされた外部端末７０とは、居宅端末３０による認証を受けた外部端末７０という意味である。例えば、後述する居宅端末３０の識別子記憶部３３１に記憶された端末ＩＤ８１を表示装置６０に表示させ、表示された端末ＩＤ８１を外部端末７０に入力することにより、居宅端末３０と外部端末７０とがペアリングされる。なお、入力された端末ＩＤ８１は外部端末７０に記憶される。実施の形態１では、外部端末７０は、居宅の住人のＰＣ又はスマートフォンを想定する。
【００１３】
図４を参照して、実施の形態１に係る居宅端末３０の構成を説明する。
居宅端末３０は、管理サーバ１０が提供するサービスを利用するためのコンピュータである。居宅端末３０は、具体例としては、ＳＴＢ（Ｓｅｔ  Ｔｏｐ  Ｂｏｘ）である。
居宅端末３０は、プロセッサ３１と、メモリ３２と、ストレージ３３と、通信インタフェース３４とのハードウェアを備える。プロセッサ３１は、信号線を介して他のハードウェアと接続され、これら他のハードウェアを制御する。
【００１４】
居宅端末３０は、機能構成要素として、データ取得部４１と、通知部４２と、入力受付部４３とを備える。居宅端末３０の各機能構成要素の機能はソフトウェアにより実現される。
ストレージ３３には、居宅端末３０の各機能構成要素の機能を実現するプログラムが記憶されている。このプログラムは、プロセッサ３１によりメモリ３２に読み込まれ、プロセッサ３１によって実行される。これにより、居宅端末３０の各機能構成要素の機能が実現される。
【００１５】
また、ストレージ３３は、識別子記憶部３３１と、データ保管部３３２との機能を実現する。
図５に示すように、識別子記憶部３３１には、居宅端末３０の端末ＩＤ８１が記憶されている。図６に示すように、データ保管部３３２には、外部ＩＤ８３毎に、入力データ８２が記憶される。
【００１６】
プロセッサ１１，３１は、演算処理を行うＩＣ（Ｉｎｔｅｇｒａｔｅｄ  Ｃｉｒｃｕｉｔ）である。プロセッサ１１，３１は、具体例としては、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
【００１７】
メモリ１２，３２は、データを一時的に記憶する記憶装置である。メモリ１２，３２は、具体例としては、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）である。
【００１８】
ストレージ１３，３３は、データを保管する記憶装置である。ストレージ１３，３３は、具体例としては、ＨＤＤ（Ｈａｒｄ  Ｄｉｓｋ  Ｄｒｉｖｅ）である。また、ストレージ１３，３３は、ＳＤ（Ｓｅｃｕｒｅ  Ｄｉｇｉｔａｌ）メモリカード、ＣＦ（ＣｏｍｐａｃｔＦｌａｓｈ）、ＮＡＮＤフラッシュ、フレキシブルディスク、光ディスク、コンパクトディスク、ブルーレイ（登録商標）ディスク、ＤＶＤ（Ｄｉｇｉｔａｌ  Ｖｅｒｓａｔｉｌｅ  Ｄｉｓｋ）といった可搬記憶媒体であってもよい。
【００１９】
通信インタフェース１４，３４は、外部の装置と通信するためのインタフェースである。通信インタフェース１４，３４は、具体例としては、Ｅｔｈｅｒｎｅｔ（登録商標）、ＵＳＢ（Ｕｎｉｖｅｒｓａｌ  Ｓｅｒｉａｌ  Ｂｕｓ）、ＨＤＭＩ（登録商標，Ｈｉｇｈ−Ｄｅｆｉｎｉｔｉｏｎ  Ｍｕｌｔｉｍｅｄｉａ  Ｉｎｔｅｒｆａｃｅ）のポートである。
【００２０】
図２では、プロセッサ１１は、１つだけ示されている。しかし、管理サーバ１０は、プロセッサ１１を代替する複数のプロセッサを備えていてもよい。同様に、居宅端末３０は、プロセッサ３１を代替する複数のプロセッサを備えていてもよい。これら複数のプロセッサは、各機能構成要素の機能を実現するプログラムの実行を分担する。それぞれのプロセッサは、プロセッサ１１，３１と同じように、演算処理を行うＩＣである。
【００２１】
図７から図９を参照して、実施の形態１に係る住宅管理システム１の動作を説明する。
実施の形態１に係る住宅管理システム１の動作は、実施の形態１に係るデータ通知方法に相当する。また、実施の形態１に係る住宅管理システム１の動作は、実施の形態１に係るデータ通知プログラムの処理に相当する。
実施の形態１に係る住宅管理システム１の動作は、データ登録処理と、データ通知処理とを含む。
【００２２】
図７を参照して、実施の形態１に係るデータ登録処理を説明する。
データ登録処理は、外部端末７０に入力データ８２が入力される度に実行される。
【００２３】
（ステップＳ１１：データ受付処理）
管理サーバ１０のデータ受付部２１は、いずれかの居宅端末３０とペアリングされた外部端末７０から入力された入力データ８２を受け付ける。
具体的には、利用者によって外部端末７０が操作され、外部端末７０に入力データ８２が入力される。そして、利用者によって外部端末７０が操作され、入力データ８２を管理サーバ１０に登録する指示がされる。すると、外部端末７０は、入力された入力データ８２を、ペアリングされた居宅端末３０の端末ＩＤ８１及び自身の識別子である外部ＩＤ８３とともに、インターネットを介して管理サーバ１０に送信する。管理サーバ１０のデータ受付部２１は、送信された入力データ８２と、端末ＩＤ８１及び外部ＩＤ８３とを受け付ける。
【００２４】
（ステップＳ１２：データ記憶処理）
管理サーバ１０のデータ受付部２１は、ステップＳ１１で受け付けた入力データ８２と、端末ＩＤ８１及び外部ＩＤ８３とをデータ記憶部１３１に書き込む。
【００２５】
図８を参照して、実施の形態１に係るデータ通知処理を説明する。
実施の形態１では、データ通知処理は、居宅端末３０毎に定期的に実行される。
【００２６】
（ステップＳ２１：問合せ処理）
居宅端末３０のデータ取得部４１は、管理サーバ１０に対して問合せを行う。データ通知処理は定期的に実行されるので、データ取得部４１は、定期的に管理サーバ１０に対して問合せを行うことになる。
具体的には、データ取得部４１は、識別子記憶部３３１に記憶された端末ＩＤ８１を管理サーバ１０に対して送信することにより、問合せを行う。
【００２７】
（ステップＳ２２：データ送信処理）
管理サーバ１０のデータ送信部２２は、ステップＳ２１で送信された端末ＩＤ８１が設定されたレコードをデータ記憶部１３１から検索する。そして、データ送信部２２は、検索されたレコードの入力データ８２及び外部ＩＤ８３を読み出して、問合せ元の居宅端末３０に送信する。
データ送信部２２は、入力データ８２及び外部ＩＤ８３が読み出されたレコードをデータ記憶部１３１から削除する。なおステップＳ２２において、レコードを削除せずに、一定期間保管するように構成してもよい。
【００２８】
（ステップＳ２３：データ取得処理）
居宅端末３０のデータ取得部４１は、ステップＳ２２で送信された入力データ８２を取得する。これにより、データ取得部４１は、居宅端末３０とペアリングされた外部端末７０から入力された入力データ８２を、入力元の外部端末７０の外部ＩＤ８３とともに管理サーバ１０から取得する。データ取得部４１は、取得された入力データ８２及び外部ＩＤ８３をデータ保管部３３２に書き込む。
【００２９】
（ステップＳ２４：データ判定処理）
居宅端末３０の通知部４２は、ステップＳ２３で入力データ８２が取得されたか否かを判定する。
通知部４２は、入力データ８２が取得された場合には、処理をステップＳ２５に進める。通知部４２は、入力データ８２が取得されなかった場合には、処理を終了する。
【００３０】
（ステップＳ２５：通知処理）
居宅端末３０の通知部４２は、ステップＳ２３で取得された入力データ８２が送信されたことを示す通知情報を、居宅端末３０がある居宅に設置された表示装置６０に送信して表示させる。これにより、通知部４２は、入力データ８２があることを居宅にいる利用者に対して通知する。
具体例としては、通知部４２は、ＥＣＨＯＮＥＴ  Ｌｉｔｅのテレビクラスにおける伝達文字列として、入力データ８２を設定して、表示装置６０に送信する。すると、表示装置６０がＥＣＨＯＮＥＴ  Ｌｉｔｅに対応している場合には、通知情報が表示装置６０に表示される。この際、表示装置６０にテレビ番組等の他の情報が表示されているときであっても、通知情報が他の情報とともに表示される。例えば、図９に示すように、通知情報は、表示装置６０全体に表示された他の情報の隅に、他の情報に重畳して表示される。
【００３１】
（ステップＳ２６：データ表示処理）
居宅端末３０の入力受付部４３は、入力データ８２を表示するという操作を利用者から受け付ける。すると、入力受付部４３は、操作に従い、指定された入力データ８２をデータ保管部３３２から読み出し表示装置６０に送信して、表示装置６０に表示させる。
【００３２】
＊＊＊実施の形態１の効果＊＊＊
以上のように、実施の形態１に係る住宅管理システム１では、居宅端末３０は、外部端末７０から入力された入力データ８２が管理サーバ１０から取得された場合に、入力データ８２があることを示す通知情報を居宅に設置された表示装置６０に表示させる。特に、居宅端末３０は、表示装置６０にテレビ番組等の他の情報が表示されているときであっても、通知情報を他の情報とともに表示させる。
そのため、居宅にいる人が表示装置６０を見ている場合には、居宅にいる人が居宅端末３０の操作をしなくても、入力データ８２があることを居宅にいる人に気付かせることができる。そのため、外部から居宅にいる人に比較的リアルタイム性の高い情報を通知できる。
【００３３】
また、実施の形態１に係る住宅管理システム１では、居宅端末３０は、ペアリングされた外部端末７０から入力された入力データ８２だけを管理サーバ１０から取得する。
そのため、無関係の人によって入力された入力データ８２といった不要な入力データ８２が通知されることもないし、不要な入力データ８２が居宅端末３０に送信されることもない。
【００３４】
＊＊＊他の構成＊＊＊
＜変形例１＞
実施の形態１では、ステップＳ２５で通知部４２は、入力データ８２があることを示す通知情報を表示装置６０に表示させた。通知情報は、入力データ８２の一部、あるいは、入力データ８２の全てであってもよい。これにより、利用者は、入力データ８２を表示させるという操作をすることなく、入力データ８２を参照することができる。
【００３５】
＜変形例２＞
実施の形態１では、外部端末７０は、居宅の住人のＰＣ又はスマートフォンを想定した。しかし、外部端末７０は、集合住宅といったコミュニティに設置されたサイネージ端末であってもよい。サイネージ端末は、コミュニティの情報を閲覧可能なコンピュータであり、コミュニティの共用部等に設置される。サイネージ端末は、事前に、コミュニティに属する各住戸に設置された居宅端末３０とペアリングされる。
外部端末７０がサイネージ端末である場合には、サイネージ端末から入力された入力データ８２は、ペアリングされた全ての居宅端末３０に送信される。
また外部端末７０は、インターフォンやタブレットであってもよい。
【００３６】
＜変形例３＞
実施の形態１では、外部端末７０から入力された入力データ８２があることが通知された。しかし、他の端末等から入力されたデータについても管理サーバ１０のデータ記憶部１３１に記憶しておいてもよい。そして、居宅端末３０のデータ取得部４１は、入力データ８２を取得する際、併せて他の情報も取得するようにし、他の情報が取得された場合には、その情報があることを示す通知情報を表示装置６０に表示させてもよい。
他の情報は、例えば、一括受電事業者又はコミュニティの管理者から入力されたデマンドレスポンス情報である。また、他の情報は、コミュニティの管理者から入力されたコミュニティの運営情報であってもよい。
【００３７】
＜変形例４＞
実施の形態１では、居宅端末３０とペアリングされた外部端末７０に端末ＩＤ８１を記憶し、ステップＳ１１で外部端末７０から入力データ８２を送信するとき、端末ＩＤ８１と外部ＩＤ８１とを合わせて管理サーバ１０に送信していた。しかし、管理サーバ１０において、端末ＩＤ８１と外部ＩＤ８１とのペアリング情報を記憶しておけば、ステップＳ１１において入力データ８２と外部ＩＤ８１のみを送信し、ステップＳ１２でデータ受付部２１は居宅端末３０の端末ＩＤ８１と外部ＩＤ８１との関連付けに基づき、入力データ８２をデータ記憶部１３１に書き込むように構成できる。
また外部端末７０を居宅端末３０とペアリングするとき、管理サーバ１０において端末ＩＤ８１と外部ＩＤ８１とを用いてパスワードを生成し、このパスワードを外部端末７０に記憶し、ステップＳ１１で外部端末７０から入力データ８２を送信するとき、合わせてパスワードを送信することで、ペアリングを構成することができる。これにより、外部端末７０から入力データ８２を送信するときに、固有のＩＤ情報を送信する必要がなくなり、セキュリティが担保できる。なおパスワードの生成は、トークンを用いてもよい。
【００３８】
＜変形例５＞
実施の形態１では、通知情報を表示装置６０に表示して、入力データ８２があることを通知した。しかし、表示装置６０のスピーカーから音を出す、表示装置６０又は居宅端末３０が有するランプを点灯させるといった他の方法により、入力データ８２があることを通知してもよい。
【００３９】
＜変形例６＞
実施の形態１では、各機能構成要素がソフトウェアで実現された。しかし、変形例５として、各機能構成要素はハードウェアで実現されてもよい。この変形例５について、実施の形態１と異なる点を説明する。
【００４０】
図１０を参照して、変形例５に係る管理サーバ１０の構成を説明する。
各機能構成要素がハードウェアで実現される場合には、管理サーバ１０は、プロセッサ１１とメモリ１２とストレージ１３とに代えて、処理回路１５を備える。処理回路１５は、各機能構成要素と、メモリ１２とストレージ１３との機能とを実現する専用の電子回路である。
【００４１】
図１１を参照して、変形例５に係る居宅端末３０の構成を説明する。
各機能構成要素がハードウェアで実現される場合には、居宅端末３０は、プロセッサ３１とメモリ３２とストレージ３３とに代えて、処理回路３５を備える。処理回路３５は、各機能構成要素と、メモリ３２とストレージ３３との機能とを実現する専用の電子回路である。
【００４２】
処理回路１５，３５は、単一回路、複合回路、プログラム化したプロセッサ、並列プログラム化したプロセッサ、ロジックＩＣ、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）が想定される。
各機能構成要素を１つの処理回路１５，３５で実現してもよいし、各機能構成要素を複数の処理回路１５，３５に分散させて実現してもよい。
【００４３】
＜変形例６＞
変形例６として、一部の各機能構成要素がハードウェアで実現され、他の各機能構成要素がソフトウェアで実現されてもよい。
【００４４】
プロセッサ１１，３１とメモリ１２，３２とストレージ１３，３３と処理回路１５，３５とを、総称して「プロセッシングサーキットリー」という。つまり、各機能構成要素の機能は、プロセッシングサーキットリーにより実現される。
【００４５】
実施の形態２．
実施の形態２は、居宅端末３０が管理サーバ１０に問合せを行うタイミングを調整する点が実施の形態１と異なる。実施の形態２では、この異なる点を説明し、同一の点については説明を省略する。
【００４６】
＊＊＊構成の説明＊＊＊
図１２を参照して、実施の形態２に係る居宅端末３０の構成を説明する。
居宅端末３０は、機能構成要素として、タイミング調整部４４を備える点が、図４に示す居宅端末３０と異なる。また、居宅端末３０は、ストレージ３３が、タイミングデータ記憶部３３３の機能を実現する点が、図４に示す居宅端末３０と異なる。
図１３に示すように、タイミングデータ記憶部３３３には、基準時刻と、基準周期と、乱数シードとが記憶される。基準時刻と基準周期とは、各居宅端末３０に共通の値が設定される。乱数シードは、居宅端末３０毎に異なる値が設定される。
【００４７】
＊＊＊動作の説明＊＊＊
図１４を参照して、実施の形態２に係る住宅管理システム１の動作を説明する。
実施の形態２に係る住宅管理システム１の動作は、実施の形態２に係るデータ通知方法に相当する。また、実施の形態２に係る住宅管理システム１の動作は、実施の形態２に係るデータ通知プログラムの処理に相当する。
実施の形態２に係る住宅管理システム１の動作は、実施の形態２に係る住宅管理システム１の動作に加え、タイミング調整処理を含む。
【００４８】
図１４を参照して、実施の形態２に係るタイミング調整処理を説明する。
タイミング調整処理は、各居宅端末３０が起動されたときにその居宅端末３０で実行される。
【００４９】
（ステップＳ３１：分散時間計算処理）
タイミング調整部４４は、タイミングデータ記憶部３３３から乱数シードを読み出す。タイミング調整部４４は、読み出された乱数シードを入力として乱数を計算する。タイミング調整部４４は、計算された乱数に応じた分散時間を計算する。
例えば、タイミング調整部４４は、乱数を基準間隔で除した余りを分散時間とする。具体例としては、乱数が３００であり、基準間隔が１２０（秒）であったとする。この場合には、３００を１２０で除した余り６０（秒）が分散時間となる。
【００５０】
（ステップＳ３２：タイミング決定処理）
タイミング調整部４４は、タイミングデータ記憶部３３３に記憶された基準時刻を基準として、基準間隔毎の時刻を基準タイミングとする。そして、タイミング調整部４４は、基準タイミングから、ステップＳ３１で計算された分散時間だけずれたタイミングを問合せタイミングとして決定する。
上述した例であれば、分散時間である６０秒だけ基準タイミングからずれたタイミングが問合せタイミングとなる。
なお本実施の形態において、タイミングデータ記憶部３３３に記憶された、乱数シートは、居宅端末３０のプロセッサ３１内で、任意のタイミングで生成し更新するように構成してもよい。
【００５１】
実施の形態２では、データ通知処理は、居宅端末３０毎に、ステップＳ３２で決定された問合せタイミングになると実行される。そのため、データ取得部４１は、ステップＳ３２で決定された問合せタイミングになると、管理サーバ１０に対して問合せを行うことになる。
【００５２】
＊＊＊実施の形態２の効果＊＊＊
以上のように、実施の形態２に係る住宅管理システム１は、居宅端末３０毎に乱数を用いて問合せタイミングを決定する。そのため、居宅端末３０毎に少しずつずれたタイミングで管理サーバ１０に対して問合せを行う。
これにより、各居宅端末３０と管理サーバ１０とを接続する回線と、管理サーバ１０とに係る負荷を分散させることができる。
【００５３】
実施の形態３．
実施の形態３は、居宅端末３０が管理サーバ１０に問合せを行う間隔を調整する点が実施の形態２と異なる。実施の形態３では、この異なる点を説明し、同一の点については説明を省略する。
【００５４】
図１５を参照して、実施の形態３に係る居宅端末３０の構成を説明する。
居宅端末３０は、機能構成要素として、間隔調整部４５を備える点が、図１２に示す居宅端末３０と異なる。
【００５５】
＊＊＊動作の説明＊＊＊
図１６を参照して、実施の形態３に係る住宅管理システム１の動作を説明する。
実施の形態３に係る住宅管理システム１の動作は、実施の形態３に係るデータ通知方法に相当する。また、実施の形態３に係る住宅管理システム１の動作は、実施の形態３に係るデータ通知プログラムの処理に相当する。
実施の形態３に係る住宅管理システム１の動作は、実施の形態２に係る住宅管理システム２の動作に加え、間隔調整処理を含む。
【００５６】
図１６を参照して、実施の形態３に係る間隔調整処理を説明する。
間隔調整処理は、各居宅端末３０で定期的に実行される。
【００５７】
（ステップＳ４１：受付時刻取得処理）
間隔調整部４５は、入力受付部４３が最後に利用者からの操作を受け付けた時刻を取得する。前提として、入力受付部４３は、操作を受け付ける度に、最後に操作を受け付けた時刻をメモリ１２に書き込んでおくものとする。
なお、入力受付部４３は、図８のステップＳ２６で説明した入力データ８２を表示するという操作以外にも、コミュニティのポータルサイトを閲覧するといった操作、設定変更の操作といった他の操作も受け付ける。間隔調整部４５は、いずれかの操作を最後に受け付けた時刻をメモリ１２に書き込んでおく。そして、間隔調整部４５は、メモリ１２からその時刻を読み出す。
【００５８】
（ステップＳ４２：間隔決定処理）
間隔調整部４５は、ステップＳ４１で取得された時刻から経過した経過時間が長くなるほど、管理サーバ１０に対して問合せを行う間隔が長くなるように、問合せ間隔を決定する。
例えば、間隔調整部４５は、経過時間が１時間未満の場合には、タイミングデータ記憶部３３３に記憶された基準間隔を問合せ間隔とする。間隔調整部４５は、経過時間が１以上３時間未満の場合には、基準間隔を５倍した間隔を問合せ間隔とする。間隔調整部４５は、経過時間が３時間以上８時間未満の場合には、基準間隔を１０倍した間隔を問合せ間隔とする。間隔調整部４５は、経過時間が８時間以上の場合には、基準間隔を２０倍した間隔を問合せ間隔とする。
【００５９】
（ステップＳ４３：変更判定処理）
タイミング調整部４４は、ステップＳ４２で問合せ間隔が変更されたか否かを判定する。つまり、ステップＳ４２の実行前に決定された問合せ間隔と、ステップＳ４２で決定された問合せ間隔とが異なるか否かを判定する。
タイミング調整部４４は、問合せ間隔が変更された場合には、処理をステップＳ４４に進め、問合せ間隔が変更されていない場合には、処理を終了する。
【００６０】
（ステップＳ４４：タイミング再決定処理）
タイミング調整部４４は、タイミングデータ記憶部３３３に記憶された基準時刻を基準として、ステップＳ４２で決定された問合せ間隔毎の時刻を基準タイミングとする。そして、タイミング調整部４４は、基準タイミングから、ステップＳ３１で計算された分散時間だけずれたタイミングを問合せタイミングとして決定する。
【００６１】
＊＊＊実施の形態３の効果＊＊＊
以上のように、実施の形態３に係る住宅管理システム１では、居宅端末３０が操作されてからの経過時間に応じて管理サーバ１０に問合せをする問合せ間隔を変更する。居宅端末３０が操作されていない場合には、利用者が居宅にいないといった理由により表示装置６０を見ていないことが考えられる。そのため、入力データ８２があることを通知しても、利用者に伝わらない可能性が高くなる。そこで、経過時間が長くなるほど問合せ間隔を長くすることにより、不要な問合せの回数を減らす。これにより、各居宅端末３０と管理サーバ１０とを接続する回線と、管理サーバ１０とに係る負荷を減らすことができる。
【００６２】
＊＊＊他の構成＊＊＊
＜変形例７＞
実施の形態３では、居宅端末３０が操作されてからの経過時間により、問合せ間隔を決定した。変形例７として、水道と電気とガスとの使用量を別途取得しこの使用量から、利用者が居宅にいるか否かを判定して、利用者が居宅にいない可能性が高いほど、問合せ間隔を長くしてもよい。これにより、利用者が不在である場合に問合せを行う回数を減らす。その結果、各居宅端末３０と管理サーバ１０とを接続する回線と、管理サーバ１０とに係る負荷を減らすことができる。
なお利用者が居宅か否かを判定する方法として、在宅時は利用者から「在宅である旨」を受け付ける方法が考えられる。また防犯セキュリティ装置と連動して、居宅か否かを判定する方法が考えられる。さらに、人感センサー等のセンサーと連動して、居宅か否かを判定する方法が考えられる。このように、外部システムと連動して利用者が不在の場合は、問合せ間隔を長くすることができる。
【符号の説明】
【００６３】
１  住宅管理システム、１０  管理サーバ、１１  プロセッサ、１２  メモリ、１３  ストレージ、１３１  データ記憶部、１４  通信インタフェース、１５  処理回路、２１  データ受付部、２２  データ送信部、３０  居宅端末、３１  プロセッサ、３２  メモリ、３３  ストレージ、３３１  識別子記憶部、３３２  データ保管部、３３３  タイミングデータ記憶部、３４  通信インタフェース、３５  処理回路、４１  データ取得部、４２  通知部、４３  入力受付部、４４  タイミング調整部、４５  間隔調整部、５０  無線ルータ、６０  表示装置、７０  外部端末、８１  端末ＩＤ、８２  入力データ、８３  外部ＩＤ。
【図１】
2018169707.tif 000003
【図２】
2018169707.tif 000004
【図３】
2018169707.tif 000005
【図４】
2018169707.tif 000006
【図５】
2018169707.tif 000007
【図６】
2018169707.tif 000008
【図７】
2018169707.tif 000009
【図８】
2018169707.tif 000010
【図９】
2018169707.tif 000011
【図１０】
2018169707.tif 000012
【図１１】
2018169707.tif 000013
【図１２】
2018169707.tif 000014
【図１３】
2018169707.tif 000015
【図１４】
2018169707.tif 000016
【図１５】
2018169707.tif 000017
【図１６】
2018169707.tif 000018
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
居宅に設置された居宅端末であり、
ペアリングされた外部端末から入力された入力データを、管理サーバから取得するデータ取得部であって、基準タイミングから乱数に応じた時間だけずれたタイミングで前記管理サーバに対して問合せを行い、前記外部端末から入力された前記入力データがある場合に、前記入力データを取得するデータ取得部と、
前記データ取得部によって取得された入力データがあることを示す通知情報を、前記居宅に設置された表示装置に表示させて、前記入力データがあることを前記居宅にいる利用者に対して通知する通知部と
を備える居宅端末。
【請求項２】
居宅に設置された居宅端末であり、
前記利用者からの操作を受け付ける操作受付部と、
ペアリングされた外部端末から入力された入力データを、前記管理サーバに対して問合せを行い、管理サーバから取得するデータ取得部であって、前記操作受付部が操作を受け付けてから経過した経過時間が長くなるほど、前記管理サーバに対して問合せを行う間隔を長くするデータ取得部と、
前記データ取得部によって取得された入力データがあることを示す通知情報を、前記居宅に設置された表示装置に表示させて、前記入力データがあることを前記居宅にいる利用者に対して通知する通知部と
を備える居宅端末。
【請求項３】
前記通知部は、前記表示装置に他の情報が表示されているときに、前記通知情報を前記他の情報とともに表示させる
請求項１又は２に記載の居宅端末。
【請求項４】
前記通知部は、前記他の情報に重畳させて、前記通知情報を表示させる
請求項３に記載の居宅端末。
【請求項５】
管理サーバと、居宅に設置された居宅端末とを備える住宅管理システムであり、
前記管理サーバは、
外部端末から入力された入力データを記憶するデータ記憶部
を備え、
前記居宅端末は、
ペアリングされた外部端末から入力された入力データを、前記データ記憶部から取得するデータ取得部であって、基準タイミングから乱数に応じた時間だけずれたタイミングで前記管理サーバに対して問合せを行い、前記外部端末から入力された前記入力データがある場合に、前記入力データを取得するデータ取得部と、
前記データ取得部によって取得された入力データがあることを示す通知情報を、前記居宅に設置された表示装置に表示させて、前記入力データがあることを前記居宅にいる利用者に対して通知する通知部と
を備える住宅管理システム。
【請求項６】
管理サーバと、居宅に設置された居宅端末とを備える住宅管理システムであり、
前記管理サーバは、
外部端末から入力された入力データを記憶するデータ記憶部
を備え、
前記居宅端末は、
前記利用者からの操作を受け付ける操作受付部と、
ペアリングされた外部端末から入力された入力データを、前記管理サーバに対して問合せを行い、前記データ記憶部から取得するデータ取得部であって、前記操作受付部が操作を受け付けてから経過した経過時間が長くなるほど、前記管理サーバに対して問合せを行う間隔を長くするデータ取得部と、
前記データ取得部によって取得された入力データがあることを示す通知情報を、前記居宅に設置された表示装置に表示させて、前記入力データがあることを前記居宅にいる利用者に対して通知する通知部と
を備える住宅管理システム。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
居宅に設置された居宅端末であり、
ペアリングされた外部端末から入力された入力データを、管理サーバから取得するデータ取得部であって、基準タイミングから乱数に応じた時間だけずれたタイミングで前記管理サーバに対して問合せを行い、前記外部端末から入力された前記入力データがある場合に、前記入力データを取得するデータ取得部と、
前記データ取得部によって取得された入力データがあることを示す通知情報を、前記居宅に設置された表示装置に表示させて、前記入力データがあることを前記居宅にいる利用者に対して通知する通知部と
を備える居宅端末。
【請求項２】
居宅に設置された居宅端末であり、
利用者からの操作を受け付ける操作受付部と、
ペアリングされた外部端末から入力された入力データを、管理サーバに対して問合せを行い、管理サーバから取得するデータ取得部であって、前記操作受付部が操作を受け付けてから経過した経過時間が長くなるほど、前記管理サーバに対して問合せを行う間隔を長くするデータ取得部と、
前記データ取得部によって取得された入力データがあることを示す通知情報を、前記居宅に設置された表示装置に表示させて、前記入力データがあることを前記居宅にいる利用者に対して通知する通知部と
を備える居宅端末。
【請求項３】
前記通知部は、前記表示装置に他の情報が表示されているときに、前記通知情報を前記他の情報とともに表示させる
請求項１又は２に記載の居宅端末。
【請求項４】
前記通知部は、前記他の情報に重畳させて、前記通知情報を表示させる
請求項３に記載の居宅端末。
【請求項５】
管理サーバと、居宅に設置された居宅端末とを備える住宅管理システムであり、
前記管理サーバは、
外部端末から入力された入力データを記憶するデータ記憶部
を備え、
前記居宅端末は、
ペアリングされた外部端末から入力された入力データを、前記データ記憶部から取得するデータ取得部であって、基準タイミングから乱数に応じた時間だけずれたタイミングで前記管理サーバに対して問合せを行い、前記外部端末から入力された前記入力データがある場合に、前記入力データを取得するデータ取得部と、
前記データ取得部によって取得された入力データがあることを示す通知情報を、前記居宅に設置された表示装置に表示させて、前記入力データがあることを前記居宅にいる利用者に対して通知する通知部と
を備える住宅管理システム。
【請求項６】
管理サーバと、居宅に設置された居宅端末とを備える住宅管理システムであり、
前記管理サーバは、
外部端末から入力された入力データを記憶するデータ記憶部
を備え、
前記居宅端末は、
利用者からの操作を受け付ける操作受付部と、
ペアリングされた外部端末から入力された入力データを、前記管理サーバに対して問合せを行い、前記データ記憶部から取得するデータ取得部であって、前記操作受付部が操作を受け付けてから経過した経過時間が長くなるほど、前記管理サーバに対して問合せを行う間隔を長くするデータ取得部と、
前記データ取得部によって取得された入力データがあることを示す通知情報を、前記居宅に設置された表示装置に表示させて、前記入力データがあることを前記居宅にいる利用者に対して通知する通知部と
を備える住宅管理システム。